(57)【特許請求の範囲】
【請求項１】
ニップル部（20）及び循状部を含む赤んぼのおしゃぶりであって、前記ニップル部（20）が、あご及び舌（15）の動きにより赤んぼが吸引力を働かせる、前記赤んぼの口の中の口蓋（11）及び舌（15）の中央部の間に維持される、可塑性又は弾性材料から作られた部品を含み、
前記ニップル部（20）は、前記おしゃぶりが赤んぼの口の中に置かれた場合に、赤んぼの口蓋（11）に対面する上表面（21'）を含み、
前記ニップル部（20）は、長い第一断面プロファイル（21）を有し、ここで当該ニップル部（20）は、前記第一断面プロファイル（21）の中央部分（23）から両側に向いた突出部（26,28）を含み、
前記おしゃぶりが赤んぼの口の中に置かれた場合に、前記突出部（26,28）は赤んぼの上あごの歯槽隆線（12,14）及び／又は歯（16,18）の横の部分に対して広がるよう配置され、
前記ニップル部（20）の上表面（21'）が凹んでいるかあるいは真っすぐであることを特徴とするおしゃぶり。
【請求項２】
前記おしゃぶりがもし赤んぼの口の中に置かれれば、前記突出部（26,28）が、主に脱落性犬歯から後方の第二脱落性大臼歯に、歯槽隆線（12,14）及び／又は歯（16,18）の横の部分に対して広がるような形状になっていることを特徴とする請求項１に記載のおしゃぶり。
【請求項３】
前記ニップル（20）の前記第一断面プロファイル（21）がＶ−形状であることを特徴とする請求項１又は２に記載のおしゃぶり。
【請求項４】
前記ニップル部（20）の第一断面プロファイル（21）が、前記ニップル部（20）の上表面（21'）に対し実質上平行に広がる面を中心に対称的であり、前記ニップル部（20）の中央（23）における連結構造（25）が、前記ニップル部の下平面（21"）をその上表面（21'）に連結することを特徴とする請求項１又は２に記載のおしゃぶり。
【請求項５】
前記ニップル部（20）が第二断面プロファイル（24）を有することを特徴とするおしゃぶりであって、
ここで前記第二断面プロファイル（24）は、前記ニップル部（20）の前記上表面（21'）及び下表面（21"）に対して実質上平行に広がる切断面を有し、この切断面は、前記ニップル部が前記おしゃぶりに作用するいずれの力によっても歯槽隆線の前部（13）に接触し得ないように、前記循状部から離れる方向で広がり、実質上台形であり、そして、前記おしゃぶりがもし赤んぼの口の中に置かれれば、前記ニップル部（20）は、前記歯槽隆線（12,14）の横の部分に圧力を掛けないと口内で前方に動くことができない、請求項１〜４のいずれか１項に記載のおしゃぶり。
【請求項６】
前記ニップル部（20）の第二断面プロファイル（24）の前端（24'）に凹面が供されることを特徴とする、請求項５に記載のおしゃぶり。
【請求項７】
前記おしゃぶりがもし赤んぼの口の中に置かれれば、歯槽隆線の前部（13）に位置する前記ニップル部（20）の部分が平らで広い断面プロファイル（27）を有することを特徴とする請求項１〜６のいずれか１項に記載のおしゃぶり。
【請求項８】
前記ニップル部（20）が可塑性固体材料から作られることを特徴とする請求項１〜７のいずれかに記載のおしゃぶり。
【請求項９】
前記ニップル部（20）が中空であり、ゲル様物質様のゆっくり流れる物質を含むことを特徴とする請求項１〜７のいずれかに記載のおしゃぶり。
【請求項１０】
前記ニップル部（20）を通過する通気チャンネルが提供されていることを特徴とする請求項１〜９のいずれか１項に記載のおしゃぶり。
【発明の詳細な説明】
本発明は、実際のニップル部及びおしゃぶり循状部を含む赤んぼのおしゃぶりに関する。
早くから、歯列不正は遺伝性の原因からであると一般に信じられていた。それゆえ、予防的処置が成功する機会は低いと考えられていた。しかしながら、現在の研究は、環境的因子が先に信じられていた事より重大な役割を演ずることを示唆する。成長の初期の段階が、あごの成長が関与するであろう過程を決定することにおいておそらく決定的である。
例えば乳房での供給及び瓶での供給に、並びにおしゃぶりの使用に関連する歯列不正の頻度のバリエーションに基づく文献データは、おしゃぶりが舌及び顔の筋肉の間違った使用を導き、それによりあごの構造を変形させ得る仮定とよく一致する。
永久歯における歯列不正は、上あごの乳歯の狭まった歯の弧の後に全くしばしば発生する。乳歯段階の間の上あごの側方への成長の減少が大部分の歯の不正咬合の場合の重要な根元的要因であることが判明している。少くとも20〜40％の子供において、上あごが極めて狭いので、交差咬合のような上及び下の歯の弧並びに歯の咬合比又は歯の弧の収縮の間の不釣合いを導くと評価され得る。これらのタイプの歯の不正咬合は、必ずしも自発的に治癒するわけではなく、歯の発達のいくつかの段階において治療を必要とする。実際、歯の歯列不正が上あごの歯の弧を広げることにより矯正され得る歯をまっすぐにするための方法は、臨床的治療においてより人気を得ている。前歯の咬合へのおしゃぶりの有害な影響が一般に認められており、その欠点を除去するための新しいおしゃぶりの解決法が示唆されている。他に、口の中のおしゃぶりは、主として前歯の咬合に関する通常の歯の咬合を防ぐと言われている。スウェーデンの公報SE403885号は、上あご及び下あごの歯の間にあるベイルに、前歯から後ろの歯に咬合の重みを移すために、おしゃぶりが組み込まれているおしゃぶり構造を提唱する。しかしながら、その解決法は、上あごの歯でしゃぶることにより生ずる圧力を通常の方向に変化させない。
米国特許US3,924,621号は、子供が慣用的おしゃぶりで開くほどその口を開く必要のないようにいくつかの別個の部品から首を形成することにより首が狭められているおしゃぶりを提供する。更に、首の分離した部分は、舌が上あごの歯に触れるのを許容する。しかしながら、その解決法は、上あごの横方向への成長を増強させるであろう脱落性大臼歯及び脱落性犬歯の領域における横方向の圧力を増加させない。
米国特許US5,133,740号は、下あごの成長を促進するためのおしゃぶりの解決法を提唱する。そのおしゃぶりは部分的に２部品である。その上部分は、主に慣用的おしゃぶりからなる。その下部は、その通常の位置に落ちつかせるために下あごを前方に移動させるよう強いる目的で舌と下の歯との間にそれ自体が位置するおしゃぶり部分からなる。
更に，米国特許US4,993,568号は、穴と共に仕切りが供された給乳おしゃぶりを示す。仕切りは、食物が子供の口にあまりに容易に流れることを防ぎ、それにより子供に自然の乳房での給乳に必要とされる舌での特定の吸乳の動きをさせる。その目的は、子供がなまけることにより瓶の給乳に慣れ、乳房での給乳をやめる状況を防ぐことである。
最近の調査結果は、幼児の吸乳癖が上あごの横方向への成長に関連していることを証明する。子供がおしゃぶりを吸う場合、中心線方向に向かう圧力が脱落性犬歯及び脱落性大臼歯の領域における上あごの歯及び歯槽隆線に作用し、それが上あごの横方向への成長に否定的作用を及ぼす。
更に、おしゃぶりを吸うことが口内に陰圧を形成することが示されている。この陰圧は、それ自体のために、その成長が妨害され、咬合における歯列不正が進行するように萠出段階における歯のロッキングを導く上あごの横方向への成長の妨害に寄与する。
通常、舌は、通常の圧力より少し高く、中央線から横方向への上あごの横への成長に肯定的な効果を有する歯及び歯槽への反対の横への圧力を導く。
慣用的なおしゃぶりは、舌が上あごの歯にも歯槽隆線にも接触しないように通常より下の位置に舌を押しつける口腔の中央部内の口腔の上部を満たす。慣用的おしゃぶりを用いることにおいて、
−唇及び頬の機能により中央にかけられ、それにより導かれた圧力の増加
−口の中の内部陰圧
−主に口蓋上のおしゃぶりを通して作用する舌の機能により誘導される圧力
−舌により引きおこされる通常の横への圧力の喪失
が上あごの横への成長を妨げる効果を一緒になって生ずることが明らかである。おしゃぶりの使用の毎日の時間は、いく人かの子供で極めて長くなり得、それゆえ上あごの成長へのおしゃぶりの使用による否定的な効果は相当なものである。
給乳瓶での欠点は、しばしばミルク又は他の食物が子供による吸乳の努力なしにおしゃぶりを通して入ることよりむしろ子供がその口へのミルクの極めて容易かつ迅速な流れを舌で防がなければならないことである。これは筋肉の誤った使用を導く。正しい筋肉刺激のためのおしゃぶりの使用は、反対に、乳房での給乳に必要とされる努力を刺激するべきである。通常の乳房の吸乳及び次ののみ込む活動は舌、頬、及び唇の強力な作用、吸乳段階の間の下あごの前方への動き、のみこむ動きの間の下あごの後ろへの動きに関連する。これらの動きは、あごの成長を誘導し、口の筋肉を強化する。慣用的給乳おしゃぶりは子供のこの種の動きを刺激しない。全ての給乳が給乳瓶及び給乳おしゃぶりで行われるなら、使用の１日の時間は容易に数時間になる。更に、いく人かの子供は、水又はジュースを飲むために給乳瓶を用いるので、おしゃぶりの使用の時間はかなり長くなり得、子供の上あごの成長へ、又はその成長の遅延へのおしゃぶりの結果が有害であることが判明し得る。
英国特許出願GB2278549は、歯槽隆線にそれから両側に広がる翼部を有する中央部を有するおしゃぶりを示す。しかしながら、この出版物に示されるおしゃぶりはいくらかの欠点がある。通常のおしゃぶりは、そのボール形状の主要部が極めて小さく作られていなければ、新生の赤んぼの口の大きさと比較して極めて大きいので、その口に適合しないであろう。子供は吸乳するためのニップル様部分を有さないこの種のおしゃぶりを用いないであろう。初期の赤んぼが他の種のおしゃぶりに慣れているなら、翼おしゃぶりの導入はほとんど上手くいかないだろう。慣用のおしゃぶりから本出願に記載される本発明のそれへの移行は５ページの19〜21行目に言及される。この慣れの理由のため、この移行は子供には困難であり、おそらく極めて遅くなるだろう。上あごの横への成長は、その初期から活性化されなければならない。なぜなら、新しいデザインのおしゃぶりの使用の慣用的おしゃぶりの使用が、慣れの他に、本願に示される有害な効果、横方向の成長の遅延を引きおこす時間を有するからである。この出版物に記載されるおしゃぶりは、このおしゃぶりの使用が比較的長時間続けられる場合のみ有利な効果を生ずるだろう。更に、先に言及される大きさの理由のため、その翼は、子供がかみ切り、のみ込むことができる比較的薄い部分に結合される。それゆえ、安全性の理由のため、翼構造はおしゃぶりとして適さない。
更に、先に言及されるGB特許出願のそれを含む周知のおしゃぶりは、それらが、おしゃぶりへの内側及び外側への力の作用のため、内側から歯槽隆線の前部に圧力をかけ、それにより歯の弧の前部の突出をひきおこす欠点を有する。
本発明の目的は、子供のあごの横への成長へのおしゃぶりの前記有害な効果が最小にされた改良されたおしゃぶりを供することである。おしゃぶりの使用時間を長くすることは本発明の目的でなく、反対にそれを短くするがその時間の間可能な限り正しく維持されることが本発明の目的である。この理由のため、上あごの横への成長への活性化効果を有する初期からのおしゃぶりを用いることが重要である。
本発明の目的は、上あごの歯の弧の横への成長への妨害効果を有さず、横への成長が活性化されるように吸乳することに関連する機能的力を及ぼすおしゃぶりを提供することである。
本目的は、特に、歯及び歯槽隆線への舌により引きおこされる横への圧力を刺激する圧力に似た上あごの横への成長のための子供の口における好ましい条件を作り出すおしゃぶりを提供することである。
特に、本目的は、おしゃぶりに作用する外及び内への力の効果により歯槽隆線の前部に接触しないが、反対に、口の前方への動きの間に歯槽隆線の横の部分に圧力を作用させるであろうおしゃぶりを提供することである。
本発明の特徴は請求項１に示される。
本発明による解決法において、０〜３齢の赤んぼのおしゃぶりの実際のニップル部分は、口腔の垂直断面に見られるニップル部分の断面プロファイルが少し延長されるように型どられる。前記断面の中央部分から両側の方向への突出部は、赤んぼの上あごの歯槽隆線及び／又は歯に広がる。
突出部は、それらが赤んぼの吸乳する動きから、前記歯槽隆線及び乳歯の内側への主に横への外側への圧力を形成するように型どられる。突出部は、主に乳犬歯から第二大臼歯に後ろに歯槽隆線及び／又は歯に広がるように好ましくは作られる。
本発明によるおしゃぶりの解決法において、舌及び舌により供される内部支持により誘導される自然の横への圧力が、上あごの歯及び歯槽隆線との突出部の接触に換えられる。これにより、舌の活性により導かれる上方への圧力は、突出部を通して、口腔の内側から歯槽隆線に横方向に、好ましくは脱落性犬歯から第二大臼歯に後ろに伝達される。
本発明によるおしゃぶりは、好ましくは、それが、いずれの有害な圧力も中央線内の実際の成長ゾーンに作用しないように口蓋の中央セクショクと本質的に接触するようにデザインされる。いずれの圧力の発生も防ぐために、垂直断面のプロファイルは、おしゃぶりの中央部分が口蓋の中央セクションを加圧も接触もしないであろうことを確実にするＶ−形態に少し成形される。
本発明の好ましい実施形態によれば、口腔の水平な断面におけるニップル部の断面プロファイルは、口腔の後ろに広がっており、ほぼ台形である。この形状のため、ニップル部は該ニップル部に作用するいずれの力によっても歯槽隆線の前部分を接触し得ず、また歯槽隆線の横の部分に圧力をかけずにニップルが口の前方へ動き得ない。
ニップル部分は、ゴム、ラテックス、又はプラスチック様の弾性又は可塑性固体材料から典型的に作られる。即ち、それは、好ましくは、現在のおしゃぶりと同じ材料から製造され得る。おしゃぶりは、固体又は中空材料から作られ得る。
本発明の１つの実施形態において、ニップル部は、ニップルの吸込みにより、ニップル部分の中央部分の中空の空間から突出部の中空の空間に動き、それにより歯槽隆線及び／又は歯への横への圧力を引きおこすゲル様物質に似たゆっくり流れる物質を含む中空の内部を有する。
本発明の１つの利点は、本発明によるおしゃぶりが子供のあごを自然に発達させるのを可能にする事実である。特に、おしゃぶりは、上あごの横への通常の成長を可能にし、それにより、いずれの歯列不正もなく、又はかなり少い深刻な歯列不正での歯の成長を可能にする。
フィンランドにおいて、歯を真っすぐにするための１年のコストは２〜３億マルクと評価され、世界では数百億と見積もられる。正確にデザインされたおしゃぶり以外のいずれの他の手段も要求せずに、及び／又は歯列不正の場合の20〜50％は進展されず、それらの深刻さの程度が減少され、その問題は健康管理のコストのかなりの節約である。
本発明は添付の図面を引用してより評価に記載されるであろう。
図１は、脱落性大臼歯においてとられた口腔及びその中の慣用的おしゃぶりの垂直断面を概略的に示す。
図２は、図４の線AAに沿って脱落性大臼歯においてとられた口腔及び本発明によるおしゃぶりの垂直断面を示す。
図３は、本発明の第２の実施形態による図２に従うおしゃぶりの垂直断面を示す。
図４は、本発明による口腔及びおしゃぶりの垂直縦断面を示す。
図５は、図４の線BBに沿った本発明によるおしゃぶりの水平断面を示す。
図６は、図４の線CCに沿った本発明によるおしゃぶりの垂直断面を示す。
図１は、口蓋11、上あごの歯槽隆線12,14、脱落性大臼歯16,18及び舌15を示す口腔の断面を示す。おしゃぶり20は口の中にある。吸乳する動きを行っている間、子供の舌は矢印により示される方向の上方におしゃぶりを押す。これにより、おしゃぶりは矢印で示される点における口蓋の中心線における、上あごの実際の成長領域のみに子供の口に圧力を導く。同時に、おしゃぶりは、舌が歯槽隆線及び歯に向かって普通に圧力をかけ、それに横への圧力をかけるのを防止する。その吸乳の動きにより導かれる圧力及び陰圧のこれらの変化は、子供の上あごの通常の横への成長を妨げる。
図２は、本発明によるおしゃぶり20と共に口腔の断面を示す。口腔の垂直断面に見られるおしゃぶりの断面プロファイル21が少く延長されているのが見られる。断面の中央23から、両側に向いた突出部26,28は子供の上あごの歯槽隆線12,14に広がる。突出部26,28は子供の吸乳の動きから、歯槽隆線及び乳歯の内側への主に横の外側への圧力を導くように成形される。ニップル部の断面プロファイル21は、少しＶ−形状であり得、又は断面プロファイル21の上端21′は図のような下への曲がりを有し得る。この種の垂直プロファイルは、ニップル部分が、舌15がニップル20を上に押し上げる時に口蓋の中央セクション17に圧力を及ぼさないであろうことを確実にする。かわりに、舌により導かれる圧力は、順に歯槽隆線12,14の横通を押す突出部26,28に伝達される。プロファイル21の上端21′も真っすぐであり得るだろう。全ての場合において、おしゃぶり材料の剛性は、要求される道においておしゃぶりの下表面に作用する力を導くように選択されるべきであることが重要である。
図３は、ニップル部の断面プロファイルが対称的である本発明によるおしゃぶりの第２の実施形態を示す。このおしゃぶりは、両方の道において口の中に維持され得る。ニップル部の下表面21″及び上表面21′は、連続構造25により互いに連結される。この構造25のため、おしゃぶりの下表面21″へ作用する力は凹状上表面21′を真っすぐにする方向に作用し、それにより歯槽へのおしゃぶりの横への力を増加させる。
図４は、口腔及びその中の本発明によるおしゃぶりの垂直縦断面を示す。口腔は、引用番号10で、上唇は引用番号19で示される。歯槽隆線（線CC）の前部分13は極めて平らで広く（その垂直断面は図６に示される）、それにより歯槽と歯列との間のおしゃぶりの動きが歯及び歯槽を前方に押す最小の力の構成物となる。中線の断面上に突出した歯槽側面に接触する表面30は、破線で示される。
図５は、（図４の切断線BBに沿って）口腔の水平断面におけるニップル部の断面プロファイルを示す。断面プロファイル24は歯槽前庭の後ろに向かって広がり、ほぼ台形である。この形状は、ニップル部がおしゃぶりへ作用するいずれの力によっても歯槽隆線の前部分14と接触し得ないことを確実にする。その断面の台形形状のため、ニップル部は歯槽隆線の横部分への圧力を生じないで口内で前方に動くことができない。図は、ニップル部の断面24の前端が少し凹形状であり得ることを更に示す。この形状は、おしゃぶりが歯槽隆線の前部13に接触し得ないことを確実にする。
おしゃぶりは、吸乳により形成された圧力差である口の外側と内側の圧力を等しくする通気チャンネルを有し得る。通気チャンネルは、おしゃぶりの圧縮が空気のポンピングを導かないように設計され得る。
おしゃぶりは、中空又は固体のいずれかとして先の周知のおしゃぶり材料から作られる得る。好ましくは、おしゃぶり材料は、加圧された後にそのもとの形状に再び戻るように可逆的でなければならない。おしゃぶりが、使用の最初の時の間にほぼ永久的に要求される形状、即ち子供の口の形状をとるような材料が作られることを考慮することももちろん可能である。
本目的は、本発明を先に示される実施形態に限定するものでなく、反対に、本発明は、添付の請求の範囲により規定される本発明の観念内で広く適用されることが意図される。
【図１】
0003657615.tif 000002
【図２】
0003657615.tif 000003
【図３】
0003657615.tif 000004
【図４】
0003657615.tif 000005
【図５】
0003657615.tif 000006
【図６】
0003657615.tif 000007